(57)【要約】      （修正有）【課題】検知器に積もった雪が徐々に融けだし、検知器の前面側に、融けかけの雪のかたまりが落下することにより発生する屋外設置用検知器の誤動作をなくす。【解決手段】積もった雪が意図しない方向に落下しないように、カバー１の上面に前上がりの勾配を持たせ、上面後方の両側面以外の外周部に隔壁２を形成した。この隔壁は、カバー前面の水平方向の最大突出部から垂直に立ち上がるような形状とし、カバー全体は、一体成形の樹脂成形品とした。【選択図】図２
2010152424.tif 000002
【特許請求の範囲】
【請求項１】
移動する人間や物体を非接触にて検出する検知器の樹脂成形カバーであって、前記樹脂成形カバーの上面は、前上がりの勾配を持ち、上面後方の両側面以外の外周部に隔壁を形成したものであり、一体的に成形したものであることを特徴とする検知器の樹脂成形カバー。
【発明の詳細な説明】
【技術分野】
【０００１】
本発明は、赤外線パルス変調光の遮断により不審者の侵入などを検出する赤外線センサー、マイクロ波の遮断により不審者の侵入などを検出するマイクロ波センサー、物体が放射する赤外線エネルギーを集束しその変化分をもとに物体の移動を検出するパッシブセンサーなどの、屋外設置用検知器の構造に関するものである。特に積雪による誤動作を減少させる技術に関する。
【背景技術】
【０００２】
従来の屋外用の検知器としては、赤外線パルス変調光を発する投光器とこの赤外線パルス変調光を受ける受光器とを対向させ、この赤外線パルス変調光を不審者が横切ったときに、検知信号を出力するタイプのものが多用されている。また、赤外線に代ってマイクロ波を用い、同様に送信アンテナと受信アンテナとを対向させて設置し、その間を遮断するものがあると、受信するマイクロ波の一部が遮断されて小さくなることを利用し、検知信号を出力するタイプのものも用いられている。そのほか、物体が放射する赤外線エネルギーを集束しその変化分をもとに物体の移動を検出するパッシブセンサーも一部採用されている。
【０００３】
検知器を屋外にて使用する場合、雨、雪、霧などの気象条件により悪影響を受けないよう考慮する必要がある。濃霧により赤外線パルス変調光が遮断されたり、積雪により検知器全体が埋まってしまうといった極端な条件の場合は別として、できる限り気象条件に左右されない検知器を実現しようとしてきた。例えば、検知器の窓部分に直接雨や雪があたらないように、上部にフードを取り付けたり、真冬のよく晴れた早朝に発生する霜の付着による誤動作を防止するため、窓部分の構造に工夫を加えたりしてきた。（例えば、特許文献１参照。）
【特許文献１】実公平４−４５１１０号公報
【発明の開示】
【発明が解決しようとする課題】
【０００４】
検知器が雪により受ける影響は、降雪中だけではなく、検知器上部に積もった雪が落下するときにも生ずる。雪がやみ天候が回復し、検知器に積もった雪が徐々に融けだし、検知器の前面側に、融けかけの雪のかたまりが落下することがある。このとき、赤外線センサーでは、赤外線パルス変調光が一瞬遮断されて検知信号を発することがあり、マイクロ波センサーでは、電波が一瞬遮断されて検知信号を発することがある。パッシブセンサーでは、雪のかたまりの通過が赤外線エネルギーの変化として認識され検知信号を発することがある。降雪時には、ある程度検知信号の発生は予想されているので、特別な異常ということにはならないが、晴れているときに発生する突発的な検知信号は、原因不明の誤動作として、大きな問題となる場合がある。これを防止するためには、検知器を、雪が積もりにくい形状とすればよいが、上部の傾斜をあまり強くすると、検知器の美観を損なうことになり、デザイン上好ましくない。
【課題を解決するための手段】
【０００５】
雪が積もらないようにするのではなく、積もった雪が意図しない方向に落下しないように、カバーの上面に前上がりの勾配を持たせ、上面後方の両側面以外の外周部に隔壁を形成した。この隔壁は、カバー前面の水平方向の最大突出部から垂直に立ち上がるような形状とした。
【発明の効果】
【０００６】
検知器に積もった雪が徐々に融けだしたときでも、カバーの上面に形成した前上がりの勾配と隔壁により、雪のかたまりが検知器前面へ滑って移動するのが阻止され、検知器の前面側に、雪のかたまりが落下することがなくなる。一般的なフードのような水平方向の出っ張りが無く、美観上の問題がない。雪が融けたときの水滴も、カバーの上面後方の両側面の隔壁のないところから落下するので、大量の水の落下による赤外線センサー・マイクロ波センサー・パッシブセンサーの誤動作をも防止することができる。降雪時だけでなく、降雨時にも、カバー前面への、検知器上部に降った雨の流れ落ちが防止され、その分の誤動作も減少する。
【発明を実施するための最良の形態】
【０００７】
図１は、本発明の屋外設置用検知器である赤外線センサーの投光器の構成を示した外観斜視図である。１はカバーであり、基台６に固定され、赤外線センサーの投光器全体を覆う。カバー１は、半円柱形の樹脂成型部品である。２は、検知器の上面外周に設けたカバーと一体成形された隔壁である。
【０００８】
３は、投光ユニットであり、投光素子（図示省略）と反射鏡４を基本構成部品としている。５は、制御回路収納部であり、基台６に固定されている。この制御回路収納部５の上部と下部に、投光ユニット３が、左右９０度、上下２０度回転可能な状態で固定されている。以上の構成の投光器の反射鏡４からは、赤外線変調光が発射される。図では反射鏡４が正面方向に向けられており、矢印の方向に指向性をもって発射される。投光ユニット３は、照準機構を備えており、この照準機構を用いることにより、反射鏡４から発射される赤外線変調光が、正確に赤外線センサーの受光器の反射鏡に向けられるように微調整される。
【０００９】
赤外線センサーの受光器も、図１に示した投光器の構成と外観的にはほぼ同じであり、投光ユニットの代わりに受光素子と反射鏡を基本構成部品とした受光ユニットが内蔵される点と、制御回路が受光器専用のものとなる点が異なる。受光器側の受光ユニットにも、照準機構が備えられており、この照準機構を用いることにより、反射鏡が受ける赤外線変調光の受光指向性の中心が、正確に赤外線センサーの投光器の反射鏡に向けられるように微調整される。
【００１０】
対向して設置された赤外線センサーの投光器と受光器は、照準機構を用いて方向調整され、受光器側での赤外線変調光の受光レベルが最大となるようにセットされる。そして、投光器と受光器にそれぞれカバー１が取り付けられる。カバー１の形状は、投光器用と受光器用と同じである。
【００１１】
図２は、カバー１の構造を示した外観斜視図である。隔壁２の下部は、カバー１側に一体的に成形されており、カバーの上面は、前上がりの勾配をもっているので、上部にたまった雪や雪融け水、あるいは雨水は、カバー前面から背面に向かって移動し、上面後方の両側面の隔壁のない部分から落下する。投光ユニットや、受光ユニットが、左右９０度、上下１０度の範囲で回転してどの方向にセットされても、隔壁２は、投光ユニットや、受光ユニットの可動範囲をカバーするだけの大きさのものであるため、効果は不変である。
【００１２】
円柱形のカバーの場合について説明したが、カバー前面の水平方向の最大突出部から垂直に立ち上がる隔壁であれば、どのような形のカバーにも適用可能である。また、赤外線センサーに限らず、マイクロ波センサーや、パッシブセンサー等の屋外設置用検知器全般に採用することができる。
【図面の簡単な説明】
【００１３】
【図１】本発明の屋外設置用検知器である赤外線センサーの投光器の構成を示した外観斜視図である。
【図２】カバー１の構造を示した外観斜視図である。
【符号の説明】
【００１４】
１・・・カバー
２・・・隔壁
３・・・投光ユニット
４・・・反射鏡
５・・・制御回路収納部
６・・・基台
【図１】
2010152424.tif 000003
【図２】
2010152424.tif 000004